Podtech/llm-jp-corpus-v4-ja_patent huggingface dataset:
(57)【特許請求の範囲】
【請求項１】
ストラップ（１）と、このストラップ（１）を貫通させるクリップ（２）とからなる、クリップ付きストラップであって、
前記クリップ（２）は、ベース（３）と、蓋（４）と、両者の間にあって蓋に弾性力を与えるバネ（５）を備え、
前記ベース（３）は、前記クリップ（２）の左右を貫通するストラップ挿通用の貫通孔（３５）と、前記蓋（４）を回動自在に支持する回動支点（３６）と、吊り下げ用に開閉するフック（３４）を備えているものにおいて、
前記貫通孔（３５）の上壁（３５１）が前記クリップ（２）の左右方向において下向きに窪む湾曲面を有することを特徴とするクリップ付きストラップ。
【請求項２】
前記貫通孔（３５）が前記ベース（３）の上下方向のほぼ中央から前記蓋（４）に向かって伸びる棚板（３２）の中に形成されている請求項１記載のクリップ付きストラップ。
【発明の詳細な説明】
【技術分野】
【０００１】
本発明は、クリップ付きストラップであって、クリップの開閉部を開閉させることにより、対象物（たとえば、携帯電話、カメラ、名札、等）を着脱可能に支持するものに関する。たとえばネックストラップとして使用可能である。
【背景技術】
【０００２】
クリップ付きストラップには多種多様なものが公知である。たとえば、特開２００８−５８６６では、フックを備えたクリップ付きのストラップを開示している。
【発明の概要】
【発明が解決しようとする課題】
【０００３】
本発明では、添付の図４（ａ）（ｂ）に示すような従来のクリップ付きストラップの改良を目的としている。この従来技術によれば、ストラップはクリップ３Ａのほぼ中央の貫通孔３５Ａを横断してリング状となり着用者の首にかけられる。
【０００４】
この形式では、重心がほぼ中央にあるため、何も吊り下げていないときには、上下が反転しやすく、本来下方にあるべきフック３４Ａが上に行ったりすることもある。フック３４Ａを下方にするだけなら、ストラップの位置を上に上げて下部に重心をかければよいのであるが、デザインの関係でストラップは中央に置きたいという要請がある。
【０００５】
本発明は、ストラップはクリップの中央を横断させながら、なおかつ、クリップの位置を安定化させることを目的とする。
【課題を解決するための手段】
【０００６】
本発明請求項１は、ストラップと、このストラップを貫通させるクリップとからなる、クリップ付きストラップであって、前記クリップは、ベースと、蓋と、両者の間にあって蓋に弾性力を与えるバネを備え、前記ベースは、前記クリップの左右を貫通するストラップ挿通用の貫通孔と、前記蓋を回動自在に支持する回動支点と、吊り下げ用に開閉するフックを備えているものにおいて、前記貫通孔の上壁が前記クリップの左右方向において下向きに窪む湾曲面を有することを特徴とするクリップ付きストラップである。
【０００７】
本発明請求項２は、前記貫通孔は、前記ベースの上下方向のほぼ中央から前記蓋に向かって伸びる棚板の中に形成されているクリップ付きストラップである。
【発明の効果】
【０００８】
本発明によれば、貫通孔の上壁が前記クリップの左右方向に曲面を有するので、ストラップは、最短距離をとろうとして、クリップの貫通孔の中の曲面となった上壁に沿って伸びるので、フックが必ず下方に位置することになる。
【図面の簡単な説明】
【０００９】
【図１】本発明の１実施例に係るクリップ付きストラップの斜視図である。
【図２】本発明の１実施例に係る分解斜視図である。
【図３】本発明の１実施例に係る側面図（ａ）、同背面図（ｂ）である。
【図４】従来技術の側面図（ａ）、同背面図（ｂ）である。
【図５】本発明と従来技術を比較した説明図である。
【発明を実施するための形態】
【００１０】
以下、添付の図面に基づいて本発明の実施例を説明する。
【実施例１】
【００１１】
本発明は、従来技術と同様に、ストラップ１と、ストラップ１を貫通させるクリップ２であって、吊り下げ用に開閉部を有するもの、からなる。
【００１２】
図２に示すように、クリップ２は、ベース３と、蓋４と、両者の間に挿入して蓋に弾性力を与えるバネ５からなる。
【００１３】
ベース３は、背板３１と、背板３１の上下方向のほぼ中央から蓋４に向かってのびる棚板３２と、棚板３２の左右両端に起立する両側板３３と、最下部に設けられたフック３４からなる。
【００１４】
棚板３２には左右を貫通するストラップ挿通用の貫通孔３５が設けられている。また両側板３３には蓋回動の支点となる小貫通孔３６が設けられている。
【００１５】
蓋４は平たい長方形状の板であって、ベース３に向かってのびる２本のアーム４１を上端付近に有している。このアーム４１に回動支点となる小突起４２が設けられている。
【００１６】
ベース３と蓋４とは、蓋４の小突起４２をベース３の小貫通孔３６に係合させることにより一体化される。
【００１７】
ベース３と蓋４の間にはＶ字状の板バネ５が設置され、このバネ５により、蓋は常時フック３４を閉鎖するように付勢されている。板バネ５は、アーム４１により位置が固定されて、脱落しない。何かを吊り下げるためには、この板バネ５の付勢力に反対するように指で蓋４を持ち上げてフック３４を開放すればよい。
【００１８】
本発明の特徴は、図５（ｂ）に示すように、クリップ２を横断する貫通孔３５の上壁３５１がクリップ２の左右方向に曲面となっていることである。下壁３５２も曲面としてもよいが、そうすると加工が複雑となるので、通常平面でよい。図５（ａ）は従来例であり、貫通孔３５，３５Ａの形状の違いは明白に現れている。
【００１９】
本発明を用いることにより、ストラップ１は、最短距離（Ｃ２に対するＣ１）をとろうとして、図５（ｂ）のようにクリップの貫通孔の中の曲面となった上壁３５１に沿って伸びるので、フック３４が必ず下方に位置することになるのである。
【先行技術文献】
【特許文献】
【００２０】
【特許文献１】特開２００８−５８６６
【符号の説明】
【００２１】
１     ストラップ
２     クリップ
３     ベース
３１   背板
３２   棚板
３３   両側板
３４   フック
３５   貫通孔
３５１ 上壁
３５２ 下壁
３６   小貫通孔（回動支点）
４     蓋
４１   アーム
４２   小突起
５     バネ
【図１】
0005695868.tif 000002
【図２】
0005695868.tif 000003
【図３】
0005695868.tif 000004
【図４】
0005695868.tif 000005
【図５】
0005695868.tif 000006